(57)【要約】  本開示は、男性使用者に特に適合したパンツ型おむつ、衛生パンツまたは失禁用パンツのような使い捨てパンツ型吸収体物品（１）に関する。この使い捨てパンツ型吸収体物品は、前区分および後区分を有するシャーシ、吸収体コア、男性使用者の生殖器を受けるために構成された前領域、縦方向（ｙ）および横方向（ｘ）を含んでなり、ここで前区分（３）は少なくとも部分的に少なくとも１つの伸縮性要素を含んでなる伸縮性材料から作られている。伸縮性材料の第一部分は、吸収体物品の使用中に吸収体コアの前部分を使用者に向けて押すために、伸縮性材料の第一部分が吸収体物品の少なくとも中央部分に伸びる。伸縮性材料の第二部分は第一部分よりも後に向かって位置し、そして前領域（７）の少なくとも一部の側部に沿って伸びる少なくとも１つの伸縮性要素を含む。前領域内の吸収体コアが、側伸縮性要素（３０）および伸縮性ウェブ材料の影響下で、物品の使用中に外側に膨張して男性使用者の生殖器を受けるためのボウル形成部分を形成するように構成するため、吸収体コアがさらに前領域（７）の側部（７ａ，７ｂ）に沿った側部ギャザリング効果を提供するため、吸収体物品はさらに前領域（７）の各側部（７ａ，７ｂ）の実質的に縦方向に取り付けた少なくとも１つの細長い側部伸縮性要素を含んでなる。また本開示は、吸収体物品を製造するための対応する方法に関する。【選択図】図２
2018534027.tif 000002
【特許請求の範囲】
【請求項１】
パンツ型おむつ、衛生パンツまたは失禁用パンツのような男性使用者に特に適合した使い捨てパンツ型吸収体物品（１）であって：
前区分および後区分を有するシャーシ、
吸収体コア、
男性使用者の生殖器を受けるために構成された前領域、
縦方向（ｙ）および横方向（ｘ）、
ここで前区分（３）は少なくとも部分的に少なくとも１つの伸縮性要素を含む伸縮性材料から作られている、
を含み、
吸収体物品の使用中に吸収体コアの前部分を使用者に向けて押すために、伸縮性材料の第一部分が吸収体物品の少なくとも中央部分に伸び、
伸縮性材料の第二部分は第一部分よりも後に向かって位置し、そして前領域（７）の少なくとも一部の横側に沿って伸びる少なくとも１つの細長い側部伸縮性要素（３０）を含み、
前領域（７）内の吸収体コアが、細長い側部伸縮性要素（３０）および伸縮性材料（１０）の第一部分（４５）の影響下で、物品の使用中に外側に膨張して男性使用者の生殖器を受けるためのボウル形成部分を形成するように構成するために、吸収体物品がさらに前領域（７）の側部（７ａ，７ｂ）に沿って側部ギャザリング効果を提供するために前領域（７）の各側部（７ａ，７ｂ）に実質的縦方向に取り付けられる少なくとも１つの細長い側部伸縮性要素（３０）をさらに含む、
上記使い捨てパンツ型吸収体物品。
【請求項２】
細長い側部伸縮性要素（３０）が、前区分のコア側に沿ってコアの頂面に向かって伸び、そしてコアの頂面の７０ｍｍ下からコアの頂面の２０ｍｍ上の間、好ましくはコアの頂面の５０ｍｍ下からコアの頂面の２０ｍｍ上の間の領域で終了することを特徴とする、請求項１に記載のパンツ型吸収体物品（１）。
【請求項３】
伸縮性材料（１０）の第一部分（４５）が、シャーシの実質的に全前区分（３）にわたって伸びる少なくとも１つの伸縮性要素を含むことを特徴とする、請求項１に記載のパンツ型吸収体物品（１）。
【請求項４】
伸縮性材料の第一部分の少なくとも１つの伸縮性要素が、吸収体コアとウエストの伸縮性領域（２４）との間、または吸収体コア（５）の最も厚い部分と吸収体コア（５）前端（４１）との間のいずれかに位置するか、あるいは吸収体コア（５）の前端（４１）から測定した時に後区分（４）に向かってさらに５０ミリメートル下の距離（７７）以内に配置されていることを特徴とする、前記請求項のいずれか１項に記載のパンツ型吸収体物品（１）。
【請求項５】
伸縮性材料の第一部分（４５）が、伸縮性材料の第一部分（４５）の縦にずれた隣の領域（１２）と比べて高い張力ゾーン（４９）を含んでなり、この高張力ゾーン（４９）が第一部分（４５）の縦にずれた隣の領域（１２）より後区分（４）に近く位置することを特徴とする、前記請求項のいずれか１項に記載のパンツ型吸収体物品（１）。
【請求項６】
高張力ゾーン（４９）の伸縮性糸（９）が、第一部分（４５）の縦にずれた隣の領域（１２）の伸縮性糸より高い弾性力を有することを特徴とする、請求項５に記載のパンツ型吸収体物品（１）。
【請求項７】
高張力ゾーン（４９）が１〜５本の伸縮性糸（９）、具体的には２〜４本の伸縮性糸（
９）を含んでなることを特徴とする、前記請求項５ないし６のいずれか１項に記載のパンツ型吸収体物品（１）。
【請求項８】
高張力ゾーン（４９）が前領域（７）の前区分に沿って位置することを特徴とする、請求項５ないし７のいずれか１項に記載のパンツ型吸収体物品（１）。
【請求項９】
高張力ゾーン（４９）が：
隣の伸縮性糸（１０）より高い弾性係数を有する少なくとも１つの個々の伸縮性糸（９）；および／または
隣の伸縮性糸（１０）より強いプレテンションを有する少なくとも１つの個々の伸縮性糸（９）；および／または
隣の伸縮性糸（１０）の組より互いに縦方向に狭い分離を有する個々の伸縮性糸（９）の組；
を含むことを特徴とする、請求項５ないし８のいずれか１項に記載のパンツ型吸収体物品（１）。
【請求項１０】
縦方向（ｙ）の吸収体コア（５）の前半分と吸収体コア（５）の後半分との間の吸収体材料の全質量の比が、少なくとも６０／４０、具体的には７０／３０，そしてさらに具体的には８０／２０であることを特徴とする、前記請求項のいずれか１項に記載のパンツ型吸収体物品（１）。
【請求項１１】
吸収体コア（５）が、前領域（７）内の吸収体コア（５）の曲げ剛性を下げるために、少なくとも１つの軟弱化機能（２０）を前領域内に含むことを特徴とする、前記請求項のいずれか１項に記載のパンツ型吸収体物品（１）。
【請求項１２】
上記少なくとも１つの軟弱化機能（２０）が、吸収体コアの部分の膨張を単純化するために、物品の縦方向（ｙ）に実質的に配列された細長い伸長部を有することを特徴とする、請求項１１に記載のパンツ型吸収体物品（１）。
【請求項１３】
軟弱化機能（２０）が、吸収体コアが伸びた状態で測定して約３〜２０センチメートル、具体的には約５〜１５センチメートル、そしてさらに具体的には約７〜１３センチメートルの縦の伸長部を有することを特徴とする、請求項１１ないし１２のいずれか１項に記載のパンツ型吸収体物品（１）。
【請求項１４】
軟弱化機能（２０）の中心から前区分（３）のウエスト端（１５）までの縦方向（ｙ）の距離が、吸収体コアおよびシャーシが伸びた状態で測定して約５〜３５センチメートル、具体的には約１０〜３０センチメートル、そしてさらに具体的には約１５〜２５センチメートルであることを特徴とする、請求項１１ないし１３のいずれか１項に記載のパンツ型吸収体物品（１）。
【請求項１５】
吸収体コアの軟弱化機能（２０）が：
吸収体コア（５）内に１もしくは複数の細長いスリット、溝または圧縮；あるいは吸収体コア（５）内の実質的直線に沿って配列された１組の不連続スリット、溝または圧縮、を含んでなることを特徴とする、請求項１１ないし１４のいずれか１項に記載のパンツ型吸収体物品（１）。
【請求項１６】
吸収体コア（５）が、コアの厚い方向で見られるような、使用者に面するように構成された内部領域、および使用者の衣服に面するように構成された外部領域を含み、そして軟弱化機能（２０）が吸収体コアの内部領域に位置することを特徴とする、請求項１１ないし１５のいずれか１項に記載のパンツ型吸収体物品（１）。
【請求項１７】
吸収体コア（５）が、互いに頂面上に位置する少なくとも２つの層（５ａ，５ｂ）を含み、そして軟弱化機能（２０）が、２層の内層（５ａ）に提供されることを特徴とする、請求項１１ないし１６のいずれか１項に記載のパンツ型吸収体物品（１）。
【請求項１８】
外層（５ｂ）には前領域に軟弱化機能（２０）が無いことを特徴とする、請求項１７に記載のパンツ型吸収体物品（１）。
【請求項１９】
各細長い側部伸縮性要素（３０）が、吸収体コア（５）の横に沿って縦方向（ｙ）に後側に伸びて吸収体物品（１）の股区分（２２）に、脚部開口（１９）の周囲に沿った脚部伸縮性部材を形成することを特徴とする、前記請求項のいずれか１項に記載のパンツ型吸収体物品（１）。
【請求項２０】
シャーシのウェブ材料が、前区分（３）の中央部分（４７）に実質的に張力をかけた伸縮性材を含まないことを特徴とする、前記請求項のいずれか１項に記載のパンツ型吸収体部品（１）。
【請求項２１】
前区分（３）の中央部分（４７）が、２０〜１５０平方センチメートル、具体的には５０〜１３５平方センチメートル、そしてさらに具体的には８０〜１２０平方センチメートルの範囲の面積を持つ実質的な方形を有することを特徴とする、請求項２０に記載のパンツ型吸収体物品（１）。
【請求項２２】
前区分（３）の中央部分（４７）の伸縮性要素（１０）が中断されており、そして中央部分（４７）内の積層伸縮性ウェブ材料のウェブ材料のいかなるシートにも付いていないことを特徴とする、請求項２０ないし２１のいずれか１項に記載のパンツ型吸収体物品（１）。
【請求項２３】
シャーシの各前および後区分（３，４）がウエストの端（１５）、一対の側端（３ａ，３ｂ，４ａ，４ｂ）、および一対の脚部の端を含み、前および後区分（３，４）が一対の側部連結部（６ａ，６ｂ）により互いに連結し、各側部連結部（６ａ，６ｂ）は二つの反対側の側端に沿って伸びて、ウエスト開口（１８）および一対の脚部開口の少なくとも一部を規定することを特徴とする、前記請求項のいずれか１項に記載のパンツ型吸収体物品（１）。
【請求項２４】
吸収体部品の前領域が男性使用者の生殖器を受けるように構成された、パンツ型おむつ、衛生パンツまたは失禁用パンツのような使い捨てパンツ型吸収体物品（１）の製造法であって：
少なくとも１つのウェブ材料からシャーシを形成し、シャーシは前区分（３）および後区分を有し、ここで前区分（３）は少なくとも１つの伸縮性要素を含む伸縮性ウェブ材料から少なくとも部分的に作られ、ここで吸収体物品の使用中に吸収体コアの前部分を使用者に向けて押すために、伸縮性材料の第一部分が吸収体物品の少なくとも中央部分に伸び、そしてその伸縮性材料の第二部分は第一部分よりも後に向かって位置し、そして前領域（７）の少なくとも一部の横側に沿って伸びる少なくとも１つの細長い側部伸縮性要素（３０）を含み；そして
前領域内の吸収体コアが、側部伸縮性要素（３０）および積層伸縮性ウェブ材料の影響下で、物品の使用中に外側に膨張して男性使用者の生殖器を受けるためのボウル形成部分を形成するように構成するために、シャーシに吸収体コア（５）および前領域（７）の各側部（７ａ，７ｂ）に実質的縦方向に付いた少なくとも１つの細長い側部伸縮性要素を、前領域（７）の側部（７ａ，７ｂ）に沿った側部ギャザリング効果を提供するために装備する、
製造法。
【請求項２５】
前区分のコアの頂面に向かってコア側に沿って、そしてコアの頂面の７０ｍｍ下からコアの頂面の２０ｍｍ上の間、好ましくはコアの頂面の５０ｍｍ下からコアの頂面の２０ｍｍ上の間の領域で終了する細長い側部伸縮性要素（３０）を備えることをさらに含む、請求項２４に記載の使い捨てパンツ型吸収体物品（１）の製造法。
【請求項２６】
複数の伸縮性糸を張力をかけた状態でウェブ材料の第一と第二シートの間に取り付けると同時に、ウェブ材料の第一および第二シートへのアタッチメントが無い最終吸収体物品の前部分（３）の中央部分（４７）に位置するように構成された伸縮性糸を有することにより、前部分（３）の積層伸縮性ウェブ材料を製造し；そして
前区分（３）の中央部分（４７）に位置する伸縮性糸の部分がそれらの自然な張力がかかっていない状態に戻るように、最終吸収体物品の前区分（３）の中央部分（４７）に位置する伸縮性糸を中断する、
ことをさらに含む、請求項２４ないし２５のいずれか１項に記載の方法。
【発明の詳細な説明】
【技術分野】
【０００１】
本開示は、男性使用者に特に適合したパンツ型おむつ、衛生パンツまたは失禁用パンツのような使い捨てパンツ型吸収体物品に関し、ここで物品は前区分および後区分を有するシャーシおよび吸収体コアを含んでなる。また本開示は、そのような使い捨てパンツ型吸収体物品の製造法に関する。
【背景技術】
【０００２】
背景
一般に使い捨てパンツ型吸収体物品の分野では、快適さと漏れの防止が増した物品の提供が望まれている。より快適で、漏出の危険性が低い吸収体物品を完成するための取り組みは、物品を使用者の生体構造に適合させることである。男性使用者の生体構造に合うように特別に設計された使い捨てパンツ型吸収体物品は、例えば特許文献１からすでに知られている。
【０００３】
既知の使い捨てパンツ型吸収体物品はその意図する用途に満足できるが、それでもそのような使い捨てパンツ型吸収体物品は装着の快適さおよび漏出防止に関しての改善に影響されるものである。
【先行技術文献】
【特許文献】
【０００４】
【特許文献１】国際公開第９６／３４５８８号パンフレット
【発明の概要】
【０００５】
要約
本開示の目的は、すでに述べた問題が少なくとも一部は回避される使い捨てパンツ型吸収体物品、および使い捨てパンツ型吸収体物品の関連する製造法を提供することである。この目的は独立項の特徴により達成される。
【０００６】
本開示は、男性使用者に特に適合したパンツ型おむつ、衛生パンツまたは失禁用パンツのような使い捨てパンツ型吸収体物品に関し、該使い捨てパンツ型吸収体物品は前区分および後区分を有するシャーシ、吸収体コア、男性使用者の生殖器を受けるために構成された前領域、縦方向（ｙ）および横方向（ｘ）を含んでなり、ここで前区分は少なくとも部分的に少なくとも１つの伸縮性要素を含んでなる伸縮性材料から作られており、
ここで吸収体物品の使用中に吸収体コアの前部分を使用者に向けて押すために、伸縮性材料の第一部分が吸収体物品の少なくとも中央部分に伸び、
ここで伸縮性材料の第二部分は第一部分よりも後に向かって位置し、そして前領域の少なくとも一部の横側に沿って伸びる少なくとも１つの細長い側部伸縮性要素（ｅｌｏｎｇａｔｅｄ  ｓｉｄｅ  ｅｌａｓｔｉｃ  ｅｌｅｍｅｎｔ）を含み、
ここで前領域の吸収体コアが、細長い側部伸縮性要素および伸縮性材料の第一部分の影響下で、物品の使用中に外側に膨張して男性使用者の生殖器を受けるためのボウル形成部分を形成するように構成するために、吸収体物品がさらに前領域の横側に沿った側部ギャザリング効果（ｓｉｄｅ  ｇａｔｈｅｒｉｎｇ  ｅｆｆｅｃｔ）を提供するための前領域の各横側で実質的に縦方向に取り付けた少なくとも１つの細長い側部伸縮性要素をさらに含んでなる。
【０００７】
男性使用者の生殖器を受けるために構成された吸収体物品の前領域に、ある種のボウル形成部分を有する使い捨てパンツ型吸収体物品を提供することが望まれている。そのよう
なボウル形の部分は、吸収体物品が男性使用者の生体構造により適合しているので、使用者が装着した時には改善された快適さを提供すると見なす場合がある。またボウル形成部分は、吸収体コアの側端が使用者の皮膚に対して改善された密着を現す場合があるように、吸収体コアの側端が使用者の皮膚の輪郭により良く適合するので改善された漏出防止をもたらす場合がある。またボウル形成部分は、より制御され、そして予想できる流れの特性を得る場合があるように、いかなる尿漏れもボウル形成部分内により良く留める場合があるので、改善された漏出防止をもたらす場合がある。
【０００８】
独立項の特徴を組み合わせることは、使い捨てパンツ型吸収体物品の前領域にボウル形成部分の形成を簡略化する。伸縮性要素の第一部分は、吸収体物品の使用中に吸収体コアの前部分を使用者に対して押すことにより前部ウエスト端に対するボウル形成部分の障壁として機能する。また伸縮性要素の第一部分は、前部ウエスト端に面するボウル形成部分の側端に沿ってシャーシおよび吸収体コアにある種のギャザリング効果を提供することもでき、これにより前領域の吸収体物品の望ましい外側膨張部分の形成を援助する。
【０００９】
伸縮性材料の第二部分の少なくとも１つは、前領域を完全にわたって伸びず、すなわち使用者に対して吸収体コアを押す伸縮性要素が欠けている前領域の特定部分があるので、第一部分よりも後に位置する伸縮性材料の第二部分は、前領域の吸収体コアが物品の使用中に外側に膨張させる場合がある。この伸縮性要素が欠けた部分は、最終的に吸収体コアをこの部分で外側に拡張できるようにし、これによりボウル形成部分が形成する。
【００１０】
最後に吸収体物品は、前領域の横側に沿って側部ギャザリング効果を提供するために、前領域の各横側の実質的に縦方向に付いた少なくとも１つの細長い側部伸縮性要素をさらに含んでなる。前領域の吸収体コアが外側に膨張し、そしてボウル形成部分を形成するように、前領域の横に沿ったギャザリング効果は、前領域の吸収体コアが縦方向に収縮（ｃｏｎｔｒａｃｔ）するために役立つ。このようにギャザリング効果は、細長い側部伸縮性要素に沿ったボウル形成部分の外側障壁も形成する。
【００１１】
結果として独立項の特徴の組み合わせは、男性使用者の生殖器を受けるための吸収体物品にボウル形成部分を形成するように構成されている。これを使い捨てパンツ型吸収体物品を製造するための対応する方法に応用する。
【００１２】
さらなる利点は従属項の１もしくは幾つかの特徴を実施することにより達成される。
【００１３】
吸収体物品の例示態様によれば、細長い側部伸縮性要素が、前区分のコア側に沿ってコアの頂面に向かって伸び、そしてコアの頂面の７０ｍｍ下からコアの頂面の２０ｍｍ上の間、好ましくはコアの頂面の５０ｍｍ下からコアの頂面の２０ｍｍ上の間の領域で終了する。
【００１４】
吸収体物品の例示態様によれば、伸縮性材料の第一部分が、シャーシの実質的に全前区分にわたって伸びる少なくとも１つの伸縮性要素を含む。この態様は伸縮性積層ウェブ材料（ｅｌａｓｔｉｃ  ｌａｍｉｎａｔｅｄ  ｗｅｂ  ｍａｔｅｒｉａｌ）を製造する場合に、費用対効果のある製造工程の使用を可能とする。
【００１５】
吸収体物品のさらなる例示態様によれば、伸縮性要素の少なくとも１つの第一部分が、吸収体コアとウエストの伸縮性領域との間、または吸収体コアの最も厚い部分と吸収体コアの前端との間のいずれかに位置するか、あるいは吸収体コアの前端から測定した時に後区分に向かってさらに最高５０ミリメートル下の距離に配置されている。これらの第一部分の少なくとも１つの伸縮性要素の選択的位置は、前部ウエスト端に対するボウル形成部分の側面障壁を形成する意味で満足な結果を提供するものと見なされる。
【００１６】
吸収体物品のさらなる例示態様によれば、複数の伸縮性要素の第一部分が、複数の伸縮性要素の第一部分から縦にずれた隣の領域と比べて高い張力ゾーンを含み、ここで高張力ゾーンは第一部分から縦にずれた隣の領域より後区分に近く位置する。この高張力ゾーンはさらに、前部ウエスト端に対してボウル形成部分の側面障壁の形成を改善する。また高張力ゾーンは、前領域の前部ウエスト端側に沿ってより強いギャザリング効果を生じることもでき、これにより横方向にシャーシおよび吸収体コア上の収縮力（ｃｏｎｔｒａｃｔｉｏｎ  ｆｏｒｃｅ）を生じ、これによりボウル形成部分で吸収体コアを外側に膨張した形に形成することを援助する。
【００１７】
吸収体物品のさらなる例示態様によれば、高張力ゾーンのすべての伸縮性要素が、第一部分から縦にずれた隣の領域の伸縮性要素より高い弾性力を有する。集中し、しかも限定された高張力ゾーンは費用対効果があると見なされる。
【００１８】
吸収体物品のさらなる例示態様によれば、高張力ゾーンが１〜５本の伸縮性糸、具体的には２〜４本の伸縮性糸を含んでなる。この糸の数は張力の増大および製造経費の観点から満足されると見なされる。
【００１９】
吸収体物品のさらなる例示態様によれば、高張力ゾーンが前領域の前区分に沿って位置する。前領域の前区分は、ボウル形成部分の前部ウエスト端側に関して望ましい位置と見なす場合がある。
【００２０】
吸収体物品のさらなる例示態様によれば、高張力ゾーンが隣の伸縮性要素より高い弾性係数を有する少なくとも１つの個々の伸縮性要素；および／または隣の伸縮性要素より強いプレテンション（ｐｒｅｔｅｎｓｉｏｎ）を有する少なくとも１つの個々の伸縮性要素；および／または隣の伸縮性糸の組より互いに縦方向に狭い分離を有する個々の伸縮性糸の組を含んでなる。
【００２１】
吸収体物品のさらなる例示態様によれば、高張力ゾーン要素の少なくとも１つの伸縮性糸が、吸収体コアとウエストの伸縮性領域との間、または吸収体コアの最も厚い部分と吸収体コアの前端との間のいずれかに位置するか、あるいは吸収体コアの前端から測定した時に後区分に向かってさらに最高５０ミリメートル下の距離に位置する。高張力ゾーンの少なくとも１つの伸縮性糸のこれらの選択的位置は、前部ウエスト端に対してボウル形成部分の側面障壁を形成する意味で満足な結果を提供するものと見なされる。
【００２２】
吸収体物品のさらなる例示態様によれば、縦方向の吸収体コアの前半分と吸収体コアの後半分との間の吸収体材料の全質量の比が、少なくとも６０／４０、具体的には７０／３０，そしてさらに具体的には８０／２０である。この吸収体物品は特に男性使用者に適合しており、したがって吸収体質量の実質的部分が吸収体コアの前半分に適用された場合に、より良く使用される。
【００２３】
吸収体物品のさらなる例示態様によれば、吸収体コアは、前領域内の吸収体コアの曲げ剛性を下げるために、少なくとも１つの軟弱化機能（ｗｅａｋｅｎｉｎｇ  ｆｅａｔｕｒｅ）を前領域内に含んでなる。吸収体コア内の軟弱化機能は、所望のボウル形成部分がより容易に達成できるように、吸収体コアが外側に膨張する形成を単純化する。
【００２４】
吸収体物品のさらなる例示態様によれば、軟弱化機能は、実質的に縦方向に伸びる折りたたみ線（ｆｏｌｄ  ｌｉｎｅ）の周囲の吸収体コアの折りたたみを単純化するために、物品の縦方向に実質的に配列された細長い伸長部（ａｎ  ｅｌｏｎｇａｔｅｄ  ｅｘｔｅｎｓｉｏｎ）を有する。この配列は単純化されたボウル形成部分の形成を提供すると見な
される。物品の実質的に縦方向という用語は、本明細書では縦方向の周囲に約＋／−４０度、具体的には縦方向の周囲に約＋／−２５度、そしてさらに具体的には縦方向周囲に約＋／−１０度を指す。
【００２５】
吸収体物品のさらなる例示態様によれば、軟弱化機能は、吸収体コアが伸びた状態で測定して約５〜２０センチメートル、具体的には約７〜１７センチメートル、そしてさらに具体的には約９〜１５センチメートルの縦の伸長部を有する。これらの寸法は所望のボウル形成部分を達成するために適切であると見なされる。
【００２６】
吸収体物品のさらなる例示態様によれば、縦方向の軟弱化機能の中心から前区分のウエスト端までの距離が、吸収体コアおよびシャーシが伸びた状態で測定して約５〜３５センチメートル、具体的には約１０〜３０センチメートル、そしてさらに具体的には約１５〜２５センチメートルである。これらの寸法は所望のボウル形成部分を達成するために適切であると見なされる。
【００２７】
吸収体物品のさらなる例示態様によれば、吸収体コアの軟弱化機能は、吸収体コア内に１もしくは複数の細長いスリット、溝または圧縮、あるいは吸収体コア内の実質的直線に沿って配列された１組の不連続スリット、溝または圧縮を含んでなる。これらの別法は所望のボウル形成部分を達成するために適していると見なされる。
【００２８】
吸収体物品のさらなる例示態様によれば、吸収体コアが、コアの厚い方向に見られるような使用者に面するように構成された内部領域、および使用者の衣服に面するように構成された外部領域を含んでなり、そして軟弱化機能が吸収体コアの内部領域に位置する。軟弱化機能を内部領域に有することにより、ボウル形成部分の形成に適する外側に凸状の、そして内側に凹状の形が簡単に形成できるようになる。
【００２９】
吸収体物品のさらなる例示態様によれば、吸収体コアが、互いに頂面上に位置する少なくとも２つの層を含んでなり、そして軟弱化機能が２層の内層に提供される。軟弱化を内層に有することにより、ボウル形成部分の形成に適する外側に凸状の、そして内側に凹状の形を簡単に形成できるようになる。
【００３０】
吸収体物品のさらなる例示態様によれば、外層には前領域内に軟弱化機能が無い。これにより外層は改善された吸収能力を有する。
【００３１】
吸収体物品のさらなる例示態様によれば、物品の股区分に、脚部開口の周囲に沿って脚部伸縮性部材を形成するために、各細長い側部伸縮性要素が吸収体コアの横に沿って縦方向に後方に伸びる。ボウル形成部分の外側障壁および股領域の脚部伸縮性材（ｅｌａｓｔｉｃｓ）としての側方伸縮性部材（ｓｉｄｅ  ｅｌａｓｔｉｃ  ｍｅｍｂｅｒ）の二重機能は、吸収体物品の製造を簡略化する。
【００３２】
吸収体物品のさらなる例示態様によれば、シャーシのウェブ材料は、前区分の中央部分にいかなる張力をかけた伸縮性糸も実質的に含まない。これによりボウル形成部分の満足な形成が可能になる。
【００３３】
吸収体物品のさらなる例示態様によれば、前区分の中央部分が、２０〜１５０平方センチメートル、具体的には５０〜１３５平方センチメートル、そしてさらに具体的には８０〜１２０平方センチメートルの範囲の面積を有する実質的な方形を有する。これらの寸法は、様々なサイズの吸収体物品についてボウル形成部分を形成するために適切であると見なされる。
【００３４】
吸収体物品のさらなる例示態様によれば、前区分の中央部分の伸縮性糸が中断されており、そして中央部分内の積層伸縮性ウェブ材料のウェブ材料のいかなるシートにも付いていない。張力をかけた伸縮性要素を含まない中央部分を形成するこの取り組みは、経済的に効率的な製造方法の使用を可能にする。
【００３５】
吸収体物品のさらなる例示態様によれば、シャーシの各前および後区分がウエスト端、一対の側端、および一対の脚部の端を含んでなり、ここで前および後区分が一対の側部連結部（ｓｉｄｅ  ｃｏｎｎｅｃｔｉｏｎ）により互いに連結し、各側部連結部は二つの反対側の側端に沿って伸びて、ウエスト開口および一対の脚部開口の少なくとも一部を規定する。
【００３６】
応用可能なさらなる分野は、本明細書に与える説明から明らかになるだろう。
【図面の簡単な説明】
【００３７】
以下の詳細な記載では、以下の図面を説明する。
【図１】本開示による吸収体物品の例示態様の概略的透視図を表す。
【図２】図１の吸収体物品の概略図を平坦な配置で表す。
【図３】図１の吸収体物品に適するシャーシの概略図を平坦な配置で表す。
【図４】シャーシの別の例示態様の概略図を平坦な配置で表す。
【図５】本開示による吸収体物品のより詳細な例示態様の概略透視図を表す。
【図６】図５の吸収体物品の概略図を平坦な配置で表す。
【図７】図５の吸収体物品の例示態様の断面を表す。
【図８】本開示による吸収体物品の別の例示態様の断面を表す。
【図９】本開示による吸収体物品のさらに別の例示態様の断面を表す。
【図１０】本開示による吸収体物品のさらに尚別の例示態様の断面を表す。
【図１１】１１ａ−１１ｃは、本開示による吸収体コアの例示態様の様々な図面を表す。
【図１２】１２ａ−１２ｂは、本開示による吸収体コアの別の例示態様の様々な図面を表す。
【図１３】１３ａ−１３ｂは、本開示による吸収体コアのさらに別の例示態様の様々な図面を表す。
【図１４】１４ａ−１４ｂは、本開示による吸収体コアのさらに尚別の例示態様の様々な図面を表す。
【図１５】本開示による吸収体コアのなお一層別の例示態様を表す。
【図１６】使用者が装着した時の吸収体コアの例示態様の概略断面図を表す。
【発明を実施するための形態】
【００３８】
例示態様の詳細な説明
本開示の様々な態様を具体的に説明するために、そして本開示を限定せずに添付の図面と関連してこれから記載するが、ここで同様の表示は同様の要素を表し、記載する態様の変更は具体的に示す態様に限定されるものではなく、開示の他の変更にも適用できる。
【００３９】
図１の図面では、男性使用者に特に適合した使い捨てパンツ型吸収体物品１の例示態様が組立てられ、そして即使用可能な状態で概略図で説明される。パンツ型吸収体物品１は、例えば成人男性使用者の使用に適合したパンツ型おむつ、衛生パンツまたは失禁用パンツである。図１の例示態様によるパンツ型吸収体物品１は、前区分３、後区分４および前および後区分３，４を連結する股区分２２を有する１枚のシャーシ２を含んでなる。吸収体物品１はさらに、吸収体コア５を含む挿入体２３を含んでなる。挿入体２３はシャーシ２とは別に製造され、そしてシャーシに適切な製造工程で挿入され、そして留められる場合がある。あるいは挿入体２３および吸収体コア５はシャーシの製造で一体化して造られる。前区分３の側端３ａ，３ｂは、ウエスト開口１８および一対の脚部開口１９を少なくとも一部定めるように、側端４ａ，４ｂにそれぞれ永久的に、または再度、閉じる場合があるように取り付けられて、組み立てられた吸収体物品１の側部連結部６ａ，６ｂを形成する。側部連結部６ａ，６ｂは脇縫い（ｓｉｄｅ  ｓｅａｍ）により作ることもできる。
【００４０】
図２の図面では使い捨てパンツ型吸収体物品１の同じ例示態様が、平な非組み立て状態で概略図により説明され、そして互いに付いた側端３ａ，３ｂ，４ａ，４ｂが無い。このパンツ型吸収体物品１は、側部連結部６ａ，６ｂが連結する前の平な状態から分かるように、吸収体コアの伸長方向と実質的に平行な縦方向ｙ、および縦方向ｙに対して垂直で、そして例示態様で示される本明細書に従い、吸収体物品１の前部ウエスト端１５に実質的に平行な横方向ｘを含んでなる。図２の平な吸収体物品１を横方向ｘに伸びる折りたたみ線の回りで折りたたみ、そして側端３ａ，３ｂ，４ａ，４ｂを側部連結部６ａ、６ｂに連結すると図１の組み立てた吸収体物品を得る。
【００４１】
図１および図２で具体的に説明する例示態様のパンツ型吸収体物品１は、ウェブ材料の伸縮性シートを少なくとも前区分３、そして好ましくは後区分４にも含んでなる。前区分３の伸縮性ウェブ材料の製造は、一般に例えば実質的に非伸縮性の不織材料のような第一および第二の連続した実質的に非伸縮性シートのウェブ材料を、機械方向に沿って供給すると同時に、複数の互いに平行に配列された伸縮性糸を供給することにより行われる。引き続き、第一および第二シートのウェブ材料は、第一および第二シートの間に位置する複数の連続的な伸縮性糸９，１０で互いに接合される。
【００４２】
伸縮性糸は第一および第二シートに張力をかけた状態で、そしてウェブ材料に対し平行に取り付けられる。伸縮性糸１０は例えば接着剤を付けた後にウェブ材料に張力をかけた状態で留められる。あるいは、または組み合わせて、ウェブ材料自体がそこに伸縮性糸１０を固定するために接着剤を上に付けていてもよい。積層伸縮性ウェブ材料を機械の横断方向、すなわち機械の方向に対して垂直に切断すると、個々の吸収体物品のシャーシ２が得られる。シャーシ３の伸縮性ウェブ材料がもはや横方向ｘに引き伸ばされていない場合、挟まれた伸縮性糸１０はウェブ材料が集まるようにし、すなわち横方向ｘに収縮し、そしてウェブ材料に小さいうねりを形成する。そのような伸縮性ウェブ材料の例示的製造法は、引用により全部、本明細書に編入する国際公開第２０１４０９８６８３Ａ１号パンフレットにさらに詳細に記載されている。
【００４３】
前区分３は、複数の個々が平行する伸縮性糸９を有する伸縮性腹部領域１４を含んでなる。伸縮性腹部領域１４は実質的に前区分３全体にわたって横断方向ｘに伸びる。個々の平行した伸縮性糸９は１つの側端６ａからもう一つの側端６ｂへと伸びる。開示する図１
および図２の例示態様では、伸縮性糸９が横断方向ｘと平行して伸びるが、別法では、それらは例えば横方向ｘの周囲に＋／−３０度、具体的には横方向ｘの周囲に約＋／−２０度、そしてさらに具体的には横方向ｘの周囲に約＋／−１０度のような横方向ｘに対して小さい傾斜を局所的に現す場合がある。
【００４４】
伸縮性腹部領域１４は、実質的に前区分３全体、そしてまた縦方向ｙにわたって伸長する。伸縮性腹部領域１４の縦方向ｙの長さ３５は、側端６１，６ｂの縦方向の伸縮性腹部領域１４の２つの最も外側の伸縮性糸１０の間で測定した時、一般に側端６ａ，６ｂで縦方向のシャーシの長さ３４の７０％より長く、具体的には８０％より長く、そしてさらに具体的には９０％より長くなる。縦方向ｙで前区分３の最大長３４の絶対数は、吸収体物品を伸ばした状態で測定した時、５〜３０センチメートルの範囲、具体的には１０〜２０センチメートルの範囲の場合がある。
【００４５】
個々の伸縮性糸間の隙間は、２〜１０ミリメートルの範囲、具体的には３〜７ミリメートルの範囲の場合がある。
【００４６】
図１および図２の破線で具体的に概略図により説明されるように、パンツ型吸収体物品１の前領域７は、男性使用者の生殖器を受けるために構成されている。高度な快適さおよび漏出防止を達成するために、パンツ型吸収体物品１は、男性使用者の生体構造にその形状を合わせるように設計されている。具体的にはパンツ型吸収体物品１は物品の使用中に前区分７が外側に膨張するように構成されて、男性使用者の生殖器を受けるためのボウル形成部分を形成する。このボウル形成部分により使用者の快適さおよび少なくとも体験される漏出防止が増すように、パンツ型吸収体物品１の改善された調整（ｆｉｔｔｉｎｇ）が達成される。
【００４７】
ボウル形成部分は、吸収体物品が主に三つの観点に基づき形成されるように構成されている。それはすなわち吸収体物品の使用中に吸収体コアの前区分を使用者に押しつけるために、少なくとも１つの伸縮性糸が吸収体物品の中央部分にわたって連続的に伸びる点、物品の使用中に前領域の吸収体コアが外側に膨張できるように、少なくとも１つの伸縮性糸が、前領域７を完全には渡らないが前領域７の横側に伸びる点、および側部ギャザリング効果を前領域７の横側７ｂに沿って提供するために、１つの細長い側部伸縮性要素が前領域７の各横側７ｂで実質的に縦方向に取り付けられる点である。
【００４８】
この３つの観点は合わさって前領域内に吸収体コアを提供することに寄与し、これは吸収体コアが側部伸縮性要素（ｓｉｄｅ  ｅｌａｓｔｉｃ  ｅｌｅｍｅｎｔ）と積層伸縮性ウェブ材料の影響下で、物品の使用中に外側に膨張して男性使用者の生殖器を受けるためのボウル形成部分を形成するように構成されている。
【００４９】
図１および図２、そしてまた図１および図２の前区分３の伸縮性糸１０の配列をより明確に説明した図３では、複数の伸縮性糸の第一部分４５が、吸収体物品の使用中に吸収体コア５の前部分を使用者に押すために、吸収体物品の中央部分４８にわたり横方向ｘに連続的に伸びる何本かの伸縮性糸を含む。第一部分４５は、例えば２〜２０本の個々の糸、より具体的には５〜１５本の糸を含んでなる場合がある。第一部分４５の伸縮性糸は、吸収体コア５を使用者に対して押してボウル形成部分を前部ウエスト端１５側に対して閉じる。
【００５０】
また第一部分４５の伸縮性糸は、前領域７の前区分７ａに沿ってシャーシおよび／または吸収体コア５の材料に特定のギャザリング効果（ｇａｔｈｅｒｉｎｇ  ｅｆｆｅｃｔ）を提供する場合がある。この前領域７の前区分７ａのギャザリング効果は、前部ウエスト端１５に面するボウル形成部分側に適切な密閉を達成するために、ボウル形成部分の前境
界を規定する。
【００５１】
複数の伸縮性糸の第一部分４５はいかなるウエスト伸縮機能（ｅｌａｓｔｉｃ  ｆｅａｔｕｒｅ）も含まない。
【００５２】
図１および図２の例示的な吸収体物品は、第一部分４５よりも後に向かって位置する複数の伸縮性糸１０の第二部分４６をさらに含んでなり、ここで第二部分４６も物品の使用中に前領域の吸収体コアが外側に膨張できるようにするために、前領域７を完全には渡らないが前領域７の横側に伸びる数本の伸縮性糸を含む。各第二部分４６は、例えば２〜１５本の個々の糸、より具体的には３〜１０本の糸を含んでなる場合がある。
【００５３】
ボウル形成部分が内側に圧縮され、そしてサイズが小さくなることを回避するために、前領域７を横断する張力がかかった伸縮機能は限定される。前領域７の側端７ｂに隣接して位置する伸縮機能を有することは、ボウル形成部分の形成に悪い影響を及ぼさず、対照的に側端７ｂに沿った伸縮機能はボウル形成部分の形成を援助する。しかし前領域７を渡って位置する伸縮機構は、ボウル形成部分を形成する望ましい外側膨張効果に悪い影響を与える恐れがある。このように前領域７にはいかなる張力がかかった伸縮機能も実質的に持たないシャーシ２のウェブ材料を有することが有利となり得る。
【００５４】
伸縮機能の所望する低下、特に横方向ｘに伸びる前区分の伸縮性糸１０の低下を達成するために、吸収体コア５に重なる前区分３の中央部分４７は、張力がかかった伸縮糸を含まなくてもよい。前区分３の中央部分４７は、例えば横方向に×約５〜２０センチメートル、具体的には７〜１７センチメートルの長さ４２、および縦方向に×約５〜２０センチメートル、具体的には７〜１７センチメートルの長さ４３の実質的に方形を有する場合がある。前区分３の中央部分の面積サイズは、２０〜１５０平方センチメートル、具体的には５０〜１３５平方センチメートル、そしてさらに具体的に８０〜１２０平方センチメートルの範囲の場合がある。前区分３の中央部分４７は、中央部分４７の横側に伸びるが、中央部分４７を渡らない伸縮性糸を有する吸収体物品の表面積に対応する。
【００５５】
ウェブ材料が互いに結合している内側および外側シート、およびそれらの間に挟まれた複数の個々の伸縮性糸を含む前区分３を有するパンツ型吸収体物品では、一般に吸収体コアは前区分３の伸縮性糸の領域に伸びる。その結果、前領域７の中央を横断して伸びる前区分３に伸縮性糸を有することを回避するための１つの解決法は、各側端６ａ，６ｂから前領域７には伸びるが、例えば挿入体２３の境界で、吸収体コア５の境界で、または吸収体コア５の特別な層の境界のような前領域７に隣接して中断されている前区分３の個々の伸縮性糸１０を有することである。
【００５６】
前区分３を横方向に横断して伸びる伸縮性糸の中断は、例えば前区分３の中央部分４７の伸縮性糸に接着剤の適用を回避するような、例えば最初に、前区分３の中央部分４７でシャーシを留める伸縮性糸を有することを避けることにより行う場合がある。その後、前区分３の中央部分４７を横断して伸びる伸縮性糸が引き裂かれ、そして第二部分４６に向かって急に戻る（これは前区分３の中央部分４７から横方向ｘにずれている）場合があるようにするために、前区分３の中央部分４７を渡って伸びている伸縮性糸を切るか、または別法で切断する。
【００５７】
さらに図１および図２の例示的吸収体物品の態様は、前領域７横側７ｂに沿って側部ギャザリング効果を提供するために、前領域７の各横側７ｂで実質的に縦方向に取り付けられた細長い側部伸縮性要素３０をさらに含んでなる。各細長い側部伸縮性要素３０は、例えば互いに平行に、そしてそれぞれの間に隙間を持つように配置された２、３または４本の伸縮性糸のような１もしくは複数の個々の伸縮性糸を含む場合がある。縦方向ｙの側部
伸縮性要素３０の長さ４０は、４〜２０センチメートル、具体的には５〜１５センチメートル、そしてさらに具体的には５〜１０センチメートルの範囲の場合がある。
【００５８】
側部伸縮性要素３０は、股区分２２から吸収体コア５の前端４１に向かって伸びる場合がある。吸収体コア５の前端４１から側部伸縮性要素３０の端までの距離は３０ミリメートル未満、そして具体的には１５ミリメートル未満の場合がある。側部伸縮性要素３０は吸収体コア５の前端４１を越えてさらに吸収体物品１の前部ウエスト端１５に向かって伸びる場合がある。側部伸縮性要素３０は、挿入体２３の後部シート２９の横側、および／または吸収体コア５の横側に取り付ける場合がある。
【００５９】
前領域７の各横側７ｂ上の実質的に縦方向ｙに取り付けられた細長い側部伸縮性要素３０は、前領域７の横側７ｂに沿ったギャザリング効果を提供するために形成される。ギャザリング効果とは、側部伸縮性要素３０の領域内のシャーシのウェブ材料および吸収体コア５が、側部伸縮性要素３０の伸長方向に縮小することを意味する。この吸収体物品の材料の前領域７の横側７ｂに沿った縮小効果は、吸収体物品のボウル形成部分の形成を援助し、そしてこれがより快適で、しかも漏れの危険性がない物品を生じることになる。
【００６０】
前ウエスト端１５に面する側でボウル形成部分の閉鎖を達成するために必要な圧縮力を提供するために、互いに平行し、そして実質的に横ｘ方向に伸びるよう配列された複数の伸縮性糸の使用は、改善された快適さおよび漏れ防止を有する使い捨てパンツ型吸収体物品１を達成するために、費用対効果があり、そして製造に優しい方法である。伸縮性要素１０を前区分３に実質的に横方向ｘで適用することは、費用対効果が高い製造法を実現する場合がある。さらに伸縮性糸を含まない前区分３の中央部分４７を形成することも、吸収体コア内にボウル形成部分を提供するために、比較的費用対効果が高い方法である。
【００６１】
吸収体物品を装着している時に使用者の高度な快適さを達成するためには、物品１の実質的に全前区分３が伸縮性ウェブ材料で作られている。しかし前区分３の標準弾性張力では、前領域７内で吸収体コア５を形成できるようにし、そしてボウル形成部分の適切な閉鎖を作成するためには不十分な可能性がある。このように図４の概略図で具体的に説明するように、高張力ゾーン４９を含む複数の伸縮性糸の第一部分４５を提供することが有利となり得る。高張力ゾーンは、第一部分の隣領域の伸縮性糸よりも高い弾性力を有する伸縮性糸１０を含んでなる。高張力ゾーン４９は、第一部分４５の縦方向にずれた隣領域よりも後区分４に近く位置している。結果として、高張力ゾーン４９の伸縮性糸により加えられた（ａｓｓｅｒｔｅｄ）横方向ｘの張力は、高張力ゾーン４９から縦方向にずれている隣の領域の伸縮性ウェブ材料により加えられる横方向ｘの張力よりも高い。したがって、少なくとも２つの異なる程度の張力を前区分３の横方向、特に前区分３の腹部領域１４に有することにより、使用者の高度な快適さが達成できると同時に、やはり吸収体コア５を前領域７に折りたたむために十分な張力を有し、そしてボウル形成部分の望ましい閉鎖を提供する。
【００６２】
高張力ゾーン４９は、好ましくは前区分３の中央部分４７の隣で前ウエスト端１５に面する中央部分４７側上に位置する。吸収体物品の費用対効果のある製造を可能にするために、この高張力ゾーンは一般に前区分３の１つの側端３ａからもう一つの側端３ｂに伸びる。
【００６３】
上記の例示的方法に従い前区分３の伸縮性ウェブ材料を製造する場合、伸縮性ウェブ材料は分離部で伸び、そしてそこから互いに横方向ｘに平行して伸びている複数の個々の伸縮性糸１０を有することになる。高張力ゾーン４９を達成するための１つの取り組みは、縦方向にずれている隣領域１２で使用されている糸１０に比べて高い張力ゾーン４９で、より高い弾性率を有する糸９を使用することである。例えば前区分３の腹部領域１４の１
〜５本、具体的には２〜４本、そしてさらに具体的には３本の従来の伸縮性糸を、より高い弾性率を有する糸に代える場合がある。
【００６４】
あるいは高張力ゾーン４９は、少なくとも１つの個々の伸縮性糸９に隣の伸縮性糸１０より強いプレテンションを提供することにより達成する場合がある。すなわち前区分３の腹部領域１４の全ての糸１０は、同じ弾性率を有してもよいが、高張力ゾーン４９の少なくとも１本の伸縮性、具体的には３本の伸縮性糸９は、縦方向にずれた隣の領域１２内の伸縮性糸よりも高度な張力を予めかけられている（ｐｒｅ−ｔｅｎｔｉｏｎｅｄ）。より高いプレテンションとは、一般に伸縮性糸の応力ひずみに関するフックの法則に従い、より高い張力を意味するので、高張力ゾーン４９はより高いプレテンションを持つ糸を使用することにより達成する場合がある。
【００６５】
さらに一層別の方法では、高張力ゾーン４９内の１組の個々の伸縮性糸９は隣の領域１２に位置する１組の隣の伸縮性糸よりも縦方向の互いに小さい分離を有する場合がある。縦方向の互いに小さい分離とは、方形の表面あたりより高い張力が横方向ｘに実現されるように、方形の表面あたりより伸縮性の糸が提供されることを意味する。
【００６６】
あるいは高張力ゾーン４９は、上記の様々な別法の解決法を組み合わせることにより達成する場合がある。
【００６７】
図１〜４で具体的に説明し、そして記載した使い捨てパンツ型吸収体物品は、簡略化した吸収体物品を表す。しかし使い捨てパンツ型吸収体物品は一般に多くのさらなる特徴を含んでなる。本開示に従い吸収体物品のわずかにより詳細な開示の例示態様は、図５および図６に表され、ここで図５では組み立てられた状態の吸収体物品が示され、そして示した図６は側端３ａ，３ｂ，４ａ，４ｂを連結する前の平な状態での吸収体物品に対応する。
【００６８】
図５および図６の例示態様は、前区分３に位置する伸縮性ウエスト領域２４および伸縮性脚部領域２７を含んでなる。伸縮性ウエスト領域２４は複数の個別の平行な伸縮性糸２６を有し、そして伸縮性脚部領域２７は複数の個々の平行する伸縮性糸２８を有する。
【００６９】
ここで示す伸縮性腹部領域１４は、伸縮性脚部領域２７と伸縮性脚部領域２７との間に位置する。伸縮性ウエスト領域２４の伸縮性糸２６は、ウエスト領域により高レベルの張力を得るために、伸縮性腹部領域１４の伸縮性糸１０と比べて互いに小さい隙間で位置する場合がある。これを伸縮性脚部領域２７の糸に適用する。
【００７０】
吸収体物品はさらに伸縮性後部領域５１、後区分４に伸縮性ウエスト領域５２、および後区分４に伸縮性脚部領域５３をさらに有する場合がある。
【００７１】
本開示のさらなる例示態様によれば、各細長い側部伸縮性要素３０は吸収体コア５の横側に沿って縦方向ｙに後に伸びるように設計して、物品１の股区分２２に脚部開口１９の周囲に沿った脚部伸縮性部材も形成する場合がある。このようにこの配置は、別々の脚部伸縮機能およびボウル形成部分のギャザー伸縮体（ｇａｔｈｅｒ  ｅｌａｓｔｉｃｓ）を組み立てる必要性が回避されて経費を節約し、そして製造を簡略化できるようにするために、吸収体コア５の各横側に上下続きの縦向きの伸縮性部材３０を組み合わせて使用することを可能にする。あるいは物品１の股区分２２の脚部開口１９の周囲に沿って所望するギャザリング効果を達成するために、別々の細長い側部伸縮性要素を使用してもよい。細長い側部伸縮性要素３０は、互いに平行し、その間に隙間を用いて配置された適切な数の伸縮性糸からなる場合がある。
【００７２】
図５および図６に具体的に説明するさらに別の態様によれば、吸収体コア５は内層５ａおよび外層５ｂを含んでなる積層製品として作る場合がある。積層吸収体コア５はウェブ材料の後部シート２９に固定されて挿入体２３を形成する場合がある。図５および図６の内層および外層５ａ，５ｂは、異なるサイズを有するので、得られる吸収体コア５は吸収体コア５の長さを横断して変動する厚さを有する。そのような場合では、高張力ゾーン４９の伸縮性糸９は、吸収体コア５の最も厚い部分と前部ウエスト端１５の間、すなわち吸収体コア５の前領域に位置する吸収体コアのより薄い部分を横断して位置する場合がある。内層５ａが外層５ｂより小さいサイズを有する図１および図２の例示態様では、吸収体コア５の前領域に位置する吸収体コアのより薄い部分は、外層５ｂのみを有する吸収体コアの領域（ａｒｅａ）に対応する。あるいは吸収体コア５がそれらの縦および横の伸長部全体で均一な厚さを有する場合、高張力ゾーン４９の伸縮性糸９は例えば吸収体コア５と前部ウエスト端１５との間に位置する場合がある。
【００７３】
吸収体コア５には、吸収体物品の後部分よりも前部分が横方向に大きな伸長部を有する設計を備える場合がある。これは男性使用者が使用した時に改善された漏れ防止のために、前領域の増大した吸収能力を提供する。
【００７４】
さらに縦方向ｙでの吸収体コア５の前半分と吸収体コア５の後半分との間の吸収材料の質量比は、少なくとも６０／４０、具体的には７０／３０、そしてさらに具体的には８０／２０である。これは吸収体コア５の全質量の少なくとも６０％が吸収体コア５の前半分に位置し、そして最大でも吸収体コア５の全質量の４０％が吸収体コア５の後半分に位置することを意味する。吸収体コア５の前および後半分とは、本明細書では吸収体コア５の縦方向の全長６２を、縦方向ｙに２つの等しい長さの部分で分割することにより定める。本明細書では吸収体コアは、少なくとも一部が繊維状セルロース材料および／または超吸収体ポリマー（ＳＡＰ）からできている。
【００７５】
吸収体コア５が何らかの理由で比較的硬い場合、前領域７内の吸収体コア５の曲げ剛性を下げるために、前領域７内に少なくとも１つの軟弱化機能２０を吸収体コア５に与えることが有利となり得る。軟弱化機能２０は吸収体コア５のボウル形成部分の形成を簡単にする場合がある。特に、伸縮性糸１０により吸収体コア５にかけた横方向ｘの圧縮力、および縦方向ｙに実質的に伸びる折りたたみ線の回りの吸収体コア５の低下した曲げ剛性を組み合わせると、吸収体物品１の使用中に前領域７の吸収体コア５が外側に膨張して形成することを簡単にできる可能性がある。軟弱化機能２０は最終的に、前領域７に望ましいボウル形吸収体コア５の改善された作成を提供する。本明細書で用語「ボウル形成（ｂｏｗｌｅｄ−ｓｈａｐｅｄ）」とは、使用者の身体に面する凹形の内面、および使用者の衣服に面する凸形の外面１６を有する吸収体コアを指す。
【００７６】
前領域７内の吸収体コア５の曲げ剛性の低下は、本開示の例示態様によれば、物品の縦方向に実質的に配列された細長い伸長部を有する軟弱化機能２０により達成する場合がある。軟弱化機能２０の実質的に縦の伸長部は、適切なボウル形成部分が達成でき、そして男性使用者の生体構造にぴったり合うよう構成されるように、実質的に縦方向ｙの周囲に吸収体コア５を折りたためるようにする。
【００７７】
さらに軟弱化機能は、吸収体コアが伸びた状態で測定し、そして図５および図６により詳細に説明するように、約５〜２０センチメートル、具体的には約７〜１７センチメートル、そしてさらに具体的には約９〜１５センチメートルの縦の伸長部１７を有する場合がある。このレベルの軟弱化機能の縦の伸長部１７は、一般にボウル形成部分を達成するために適切な長さに対応し、男性使用者が望む高度な快適さをもたらし、漏れを防止する。
【００７８】
軟弱化機能２０の中心２１から前ウエスト端１５までの縦方向の距離は、吸収体コアお
よびシャーシが伸びた状態で測定して約５〜３５センチメートル、具体的には約１０〜３０センチメートル、そしてさらに具体的には約１５〜２５センチメートルになるように選択する場合がある。前ウエスト端１５に対する軟弱化機能２０のこの位置は、一般に男性使用者が望む高度な快適さ、および漏れを防止するボウル形成部分を達成するために適切な位置に対応する。
【００７９】
図５および図６に開示する例示態様によれば、軟弱化機能２０は、縦方向ｙに、そして横方向ｘの吸収体コア５の中心の位置に伸びる１つの細長い溝を含んでなる。しかし吸収体コアの曲げ剛性の所望する低下を達成するために、軟弱化機能の多くの他の形状も本開示の範囲内で可能である。例えば軟弱化機能２０は、吸収体コア内に１もしくは複数の細長いスリット、溝または圧縮、および／または吸収体コア内の実質的直線に沿って配列された１組の別々のスリット、溝または圧縮を含んでなる場合がある。
【００８０】
多くの観点および特徴、例えば後ろ側に向かって伸び、そしてまた股区分２２の脚部開口１９の周囲に沿った脚部伸縮性部材を形成するために細長い側部伸縮性要素３０を有すること、あるいは内側層５ａおよび外側層５ｂを含んでなる積層吸収体コア５を有すること、あるいは少なくとも１つの軟弱化機能２０を含む吸収体コア５に提供すること、あるいは前区分３に高張力ゾーン４９を提供すること、あるいは伸縮性の後領域５１を有することを、図５および図６と組み合わせて開示してきたが、すべてのこのような観点は個別に、または互いに組み合わせて採用する場合がある。図５および図６による例示態様は、一つの具体的説明が提供されているからという理由だけで一つの態様であると見なしたり、理解するべきではなく、吸収体物品の多くの代替的な例示態様であると考えるべきである。
【００８１】
図７は、図６のＡ−Ａに沿った断面を概略図で説明する。この図は、使用者に面するように配列された内層５ａ、使用者からさらに離れて配列された外層５ｂ、およびウェブ材料の後部シート２９を有する吸収体コア５の積層構造を表す。ここで軟弱化機能は、溝が内層５ａを貫通して広がるように設計されている。
【００８２】
ここで内層５ａは、コアの厚い方向で分かるように使用者に面するように構成された吸収体コアの内部領域に対応し、そしてここで外層５ｂは使用者の衣服に面するように構成された外部領域に対応し、そして軟弱化機能２０は吸収体コア５の内部領域に位置する。
【００８３】
外層は、前領域７内に十分な吸収能力を提供するために、前領域７内に軟弱化機能２０を含まなくてよい。
【００８４】
またウェブ材料の外側シート３０、ウェブ材料の内側シート３１、およびそれらの間に挟まれた伸縮性糸９，１０，２６を含むシャーシ２が図７に具体的に説明されている。最も外側の３本の伸縮性糸２６は前区分３のウエスト伸縮体を形成し、隣の４本の伸縮性糸１０は伸縮性腹部領域１４の一部を形成し、そして続く３本の伸縮性糸９は高張力ゾーン４９を形成する。さらなる伸縮性糸を伸縮性腹部領域に示さないのは、それらが吸収体コアに対する境界で中断されるからであり、したがって図７の断面には含まない。
【００８５】
ウェブ材料の外側および内側シート３０，３１は、縦方向ｙに吸収体物品の全長に渡り伸びて示されているが、あるいはウェブ材料３０の外および内側シートの１つは前および／または後区分３，４にのみ広がることができ、そして積層シャーシは主に伸縮性機能が付いた領域で有用なので股区分２２上で中断している。
【００８６】
図７では、ウェブ材料のトップシート３２は使用者に面する側上の吸収体コア上にも広がっていることが示されている。このトップシート３２は液体透過性であり、これは吸収
体物品との心地よい皮膚の接触を提供し、ならびに挿入体２３の一体性を維持するために役立つ場合がある。ウェブ材料の後部シート２９は、好ましくは液体非透過性材料で作られている。
【００８７】
図８は吸収体物品１の別の設計の断面を概略図で具体的に説明する。この例示態様では、吸収体コア５の内層５ａが、縦に広がる圧縮形態の軟弱化機能２０を含んでなる。これは例えば外層５ａに対して道具を押し付けた後、外層５ａを内層５ｂに積層することにより提供できる。圧縮された外層５ａの材料３３は、一般に低下した吸収体能力を現す。したがって図８の例示態様では、軟弱化機能は内層５ａを貫通して広がっていない。その他はこの吸収体物品の設計は、図７を参照にして記載したものに対応する。
【００８８】
図９では、さらに吸収体物品の例示態様を具体的に説明する。図９は単層吸収体コア５を有する吸収体物品１の別の設計の断面を概略的に表す。単一の吸収体コアは内部領域および外部領域に分割されることができ、そして開示する例示態様では、軟弱化機能２０が吸収体コア５の内部領域のみに位置している。軟弱化機能２０は例えば溝、スリットまたは圧縮でよい。単層の吸収体コアの結果として、伸長前部伸縮性要素を形成する３本の伸縮性糸９はここで前領域７の前区分のギャザリングを簡単にするために、前部ウエスト端１５に対して省かれている。その他はこの吸収体物品の設計は、一般に図７および図８を参照にして記載したものに対応する。
【００８９】
図１０では、さらに吸収体物品の例示態様を具体的に説明する。図１０は単層吸収体コア５を有する吸収体物品１の別の設計の断面を概略図で示す。ここで単一層の吸収体コア５は全吸収体コア５を貫通して広がる軟弱化機能２０を含んでなる。軟弱化機能２０は例えば溝またはスリットでよい。この態様の他の観点は、一般に図９を参照にして記載したものに対応する。
【００９０】
吸収体コアの様々な別の例示態様が図１１ａ，１２ａ，１３ａおよび１４ａを参照にして開示されている。これらの例示態様は全て、単一層コアとして開示されるが、これらの例は図７および８で開示される吸収体コアのように多層吸収体コアにも等しく適用できる。図１１ａ，１２ａ，１３ａおよび１４ａの吸収体コアの別の設計は排他的であると意図せず、本開示による軟弱化機能２０がどのように吸収体コアに実施されるかの単に幾つかの例示態様である。
【００９１】
図１１ａでは、軟弱化機能２０が前領域７に位置する縦に伸びる溝として具体化されている。線Ｂ−Ｂに沿って切った断面を図１１ｂで概略図により具体的に説明し、溝は吸収体コアを貫通して伸びず、吸収体コア５の内部領域内にあるだけであることを示す。
【００９２】
さらに図１１ｃでは、２つの反対向きの力の矢印として図面で具体的に説明される第一部分４５の伸縮性糸から張力３７が提供される。この圧縮力３７力は、吸収体コアの軟弱化機能２０と組み合わさって吸収体コアを縦方向の周囲に折りたたむために配列されて、吸収体コア５内にボウル形成部分３６を作成する。
【００９３】
図１２ａおよび１２ｂは、開示する吸収体コアの軟弱化機能の別の例示態様である。ここで３つの比較的狭い溝またはスリットが軟弱化機能２０を形成する。
【００９４】
さらに吸収体コアの軟弱化機能２０の別の例示態様を図１３ａおよび１３ｂに開示し、これらは特定の横伸長部も有する軟弱化機能を示す。例えばこの軟弱化機能は、縦および横方向に揃った十字を形成するように、互いに直角に配列され、そしてそれらの中心で交差する２つの溝として具現され得る。そのような軟弱化機能の形態は、ボウル形成部分の形成に有利となり得る。ここでは３つの比較的狭い溝またはスリットが軟弱化機能２０を
形成する。
【００９５】
吸収体コアの軟弱化機能２０のさらに別の例示態様を図１４ａおよび１４ｂに開示し、これらはＶ形の断面を有する縦に伸びる溝として軟弱化機能を表す。Ｖ形の断面は、前領域に吸収体コアを折りたたむことを可能にすると同時に、吸収体コア５内に大量の吸収能力を維持するために吸収体コアに必要な構造的軟弱化を提供する場合がある。
【００９６】
吸収体コアの軟弱化機能２０のさらに別の例示態様を図１５に開示し、これは２つの実質的に縦に伸びる溝として軟弱化機能２０を表し、ここで各溝はＶ形の軟弱化機能２０を形成するために縦方向ｙに対してわずかに傾いている。この軟弱化機能２０の設計は、特定の状況でボウル形成部分を形成すると言う意味で十分な結果を提供する場合がある。
【００９７】
図１６は男性使用者が装着した時の本開示による吸収体物品を概略図で具体的に説明する。吸収体物品１の例示態様は、前領域７に位置する縦に伸びる溝の形態の軟弱化機能２０を含んでなる。側部伸縮性要素３０は本開示の伸縮性ウェブ材料の伸縮性糸の特別な配列と組み合わせて、男性使用者７９の生殖器７８を受けるために吸収体物品１の内面にボウル形成部分を形成できるようにする。図１６の具体的な例示態様では、軟弱化機能２０はさらにボウル形成部分の形成を改善する。図１６の吸収体物品１は、後部シート２９および内部吸収体コア５のみを用いて概略図で具体的に説明されている。
【００９８】
本発明のさらなる態様は、伸縮性層がシャーシの伸縮性材料を形成するために使用される積層化使い捨てパンツ型吸収体物品に関する。該態様のさらなる特徴は、本明細書に開示する様々な態様を組み合わせることにより達成できる。
【００９９】
また本開示は、パンツ型おむつ、衛生パンツまたは失禁用パンツのような使い捨てパンツ型吸収体物品の連続工程での製造法を含み、ここで吸収体物品の前領域が男性使用者の生殖器を受けるために構成される。この方法は、少なくとも１つの連続ウェブ材料からシャーシを形成する第一工程を含んでなる場合がある。シャーシは前区分および後区分を有し、ここで前区分３は互いに平行に配列され、そして実質的に横ｘ方向に伸びる複数の伸縮性糸を含んでなる積層伸縮性ウェブ材料から少なくとも一部作られている。複数の伸縮性糸の第一部分は、吸収体物品の使用中に吸収体コアの前部分を使用者に向けて押すために、吸収体物品の中央部分に連続的に伸びる少なくとも１本の伸縮性糸を含み、そして第一部分よりも後に向かって位置する複数の伸縮性糸の第二部分は、前領域７の横側に沿って伸びるが、物品の使用中に前領域の吸収体コアが外側に膨張できるように、前領域７を完全には渡らない少なくとも１つの伸縮性糸を含む。
【０１００】
この方法はさらに、前領域７の横側７ａ，７ｂに沿った側部ギャザリング効果を提供するために、シャーシに吸収体コア５、および前領域７の各横側７ａ，７ｂに実質的に縦方向に取り付けられた少なくとも１つの細長い側部伸縮性要素を備える工程を含んでなる。側部ギャザリング効果は、側部伸縮性要素および積層伸縮性ウェブ材料の影響下で、前領域の吸収体コアが物品の使用中に外側に膨張して男性使用者の生殖器を受けるために物品がボウル形成部分を形成できるようにする。
【０１０１】
加えて、本方法は複数の伸縮性糸を張力をかけた状態でウェブ材料の第一と第二シートの間に取り付けると同時に、ウェブ材料の第一および第二シートへのアタッチメントが無い最終吸収体物品の前区分３の中央部分４７に位置するように構成された伸縮性糸を有することにより、前区分３の積層伸縮性ウェブ材料を製造することを含む場合がある。本方法は引き続き前区分３の中央部分４７に位置する伸縮性糸の部分が、それらの自然な張力がかかっていない状態に戻れるように、最終吸収体物品の前区分３の中央部分４７に位置する伸縮性糸の中断を含む。
【０１０２】
シャーシを形成する本発明の不織材料層またはウェブ３０，３１は、例えばスパンボンド、風式、湿式、カード掛、電界紡糸またはメルトブロー式不織布から例えば選択できる。不織布材料は、多くの技術、例えばニードリング（ｎｅｅｄｌｉｎｇ）、水流交絡、または熱結合により結合する場合がある。
【０１０３】
開示した製品の不織布材料は、天然および人工材料の混合物である。例えば天然繊維は、セルロース繊維または再生セルロース由来の繊維である。
【０１０４】
用語「伸縮性糸」は、例えば天然または合成ゴム、熱可塑性エラストマー、例えば熱可塑性ポリウレタンまたはスチレンブロックコポリマーまたはｓｐａｎｄｅｘ（ポリウレタン−ポリウレアコポリマー）とも呼ばれるエラスタンのような弾性材料から作られるゴムひもまたは伸縮性糸を意味するものとする。糸は登録商標「ＬＹＣＲＡ」で得られるエラスタン型でよいが、任意の適切な伸縮性糸を使用する場合がある。糸は約８０〜１２００ｄｔｅｘの線質量密度（ｌｉｎｅａｒ  ｍａｓｓ  ｄｅｎｓｉｔｙ）を有する場合がある。
【０１０５】
伸縮性糸は、製造工程中に初期の張力を掛けていない元の長さから約５０〜約３００％、より好ましくは１００〜２５０％、そして最も好ましくは初期の張力を掛けていない元の長さの１５０〜２２０％に伸ばされる。この伸縮性糸は、製造工程で破断の危険性なしに安全に使用する場合があるように、好ましくは少なくとも約２００％の延伸に耐える場合がある種類のものであるべきである。
【０１０６】
伸縮性ウェブ材料についての材料に関するさらなる情報は、引用により全部編入する国際公開第２０１４０９８６８３Ａ１パンフレットに開示されている。
【０１０７】
吸収体は、セルロースフラフパルプ、組織層、高度に吸収性ポリマー（超吸収体）、ハイドロゲル−フォーム材料を含む吸収体フォーム材料、吸収体不織材料等のような排泄された体外排泄物を吸収するために適する任意の通例の材料を含んでなる場合がある。
【０１０８】
吸収体は、使用者の皮膚に面することを意図する側に配置された液体透過性トップシート、および使用者の衣服に面することを意図する吸収体側に配置された液体非透過性バックシートを有する場合がある。一般に液体透過性トップシートは不織布材料を含んでなるか、またはそれからなる。トップシート材料はさらにトウ（ｔｏｗ）繊維、多孔性フォーム、穴の開いたプラスチックフィルム等からさらに構成される場合がある。上で述べたように、トップシート材料として適する材料は、柔らかく、しかも皮膚に対して刺激が無く、そして体液、例えば尿または月経液が直ちに透過し、そして低い再湿潤特性を表すべきである。
【０１０９】
液体非透過性バックシートは、液体透過に抵抗する薄いプラスチックフィルム、例えばポリエチレンまたはポリプロピレンフィルム、液体非透過性材料でコートされた不織布材料、疎水性不織布材料、あるいはプラスチックフィルムと不織布材料との積層体からなる場合がある。バックシート材料は、気体を吸収体から逃し、同時に液体がバックシート材料を貫通することを防ぐ場合があるように通気性の場合がある。
【０１１０】
トップシートおよびバックシートは、例えば接着剤結合、のり付けまたは熱もしくは超音波による溶着（ｗｅｌｄｉｎｇ）により互いに締結する場合がある。トップシートおよび／またはバックシートはさらに、接着剤、熱結合等のような当該技術分野で既知の方法により吸収体に取り付ける場合がある。
【０１１１】
本明細書で伸縮性バンドとは、実質的に平な断面を有する部材を指す。
【０１１２】
本明細書で使用する用語「吸収体コアの伸びた状態」とは、付いた伸縮性機能により生じるコア材料の実質的に全てのギャザリングが消されるまで、すなわちギャザリング効果を生じるために張力をかけた状態に伸縮性機能が付けられる前の状態に対応するコアの平な状態まで、コアが縦方向ｙおよび横方向ｘに伸ばされている状態を表す。物品は、この平な状態が達成されるような程度まで伸ばされるだけである。同様に、本明細書で使用する用語「シャーシの伸びた状態」とは、付いた伸縮性機能により生じるシャーシ材料の実質的に全てのギャザリングが消されるまで、すなわちギャザリング効果を生じるために張力をかけた状態に伸縮性機能が付けられる前の状態に対応するシャーシの平な状態まで、シャーシが縦方向ｙおよび横方向ｘに伸ばされている状態を表す。物品は、この平な状態が達成されるような程度まで伸ばされるだけである。
【０１１３】
用語「男性の生殖器」とは、陰茎および陰嚢を指す。
【０１１４】
請求の範囲で言及する符号は、請求の範囲により保護される主題の程度を限定するとは見なされず、そしてそれらの唯一の機能は請求の範囲を理解し易くすることである。
【０１１５】
実現される場合、本開示は様々な明白な観点における修飾を可能とし、それらは全て添付の請求の範囲から逸脱しない。したがって請求の範囲に対する図面および説明は事実上、具体的説明と見なされ、制限するものではない。
【図１】
2018534027.tif 000003
【図２】
2018534027.tif 000004
【図３】
2018534027.tif 000005
【図４】
2018534027.tif 000006
【図５】
2018534027.tif 000007
【図６】
2018534027.tif 000008
【図７】
2018534027.tif 000009
【図８】
2018534027.tif 000010
【図９】
2018534027.tif 000011
【図１０】
2018534027.tif 000012
【図１１ａ】
2018534027.tif 000013
【図１１ｂ−１１ｃ】
2018534027.tif 000014
【図１２ａ】
2018534027.tif 000015
【図１２ｂ】
2018534027.tif 000016
【図１３ａ】
2018534027.tif 000017
【図１３ｂ】
2018534027.tif 000018
【図１４ａ】
2018534027.tif 000019
【図１４ｂ】
2018534027.tif 000020
【図１５】
2018534027.tif 000021
【図１６】
2018534027.tif 000022
【国際調査報告】
2018534027.tif 000023
2018534027.tif 000024
2018534027.tif 000025
2018534027.tif 000026